(57)【要約】【課題】  断裁刃物に沿って並設した用紙を強圧固定する押圧板の駆動に要する力を低減すること。【解決手段】  押圧板１を用紙に当接する当接部１ａと加重を加える加重部１ｂに分割し、両部を互いに接近する方向に附勢するバネを介して連結するとともに、加重部１ｂを、モータ４で回転するフライホィール６、フライホィール６に遊びを設けて連結したネジ軸（ナット）７、ネジ軸７に螺合した送りネジ８からなる駆動機構の送りネジ８に連結し、当接部１ｂを操作レバー１０に連結し、操作レバー１０の操作により当接部１ｂのみの操作を可能とするとともに、フライホィール６の回転後にネジ軸７に回転を伝達する。【選択図】    図１
2005088131.tif 000002
【特許請求の範囲】
【請求項１】
断裁刃物に沿って並設した押圧板と、前記押圧板を駆動する駆動機構とを有し、前記断裁刃物による用紙の断裁時に前記押圧板を駆動して前記用紙を押圧固定してなる断裁機用用紙押圧装置において、前記押圧板を前記用紙に当接する当接部と加重を加える加重部に分割し、両部を互いに接近する方向に附勢するバネを介して連結するとともに、加重部を前記駆動機構に連結し、当接部を操作レバーに連結してなることを特徴とする断裁機用用紙押圧装置。
【請求項２】
前記駆動機構はモータの回転により回転するフライホィールと前記フライホィールが所定の角度回転した後に前記フライホィールの回転により回転するネジ軸と、前記ネジ軸に螺合してそのネジ軸の回転により直線移動する送りネジとからなり、前記送りネジを前記加重部に連結してなることを特徴とする請求項１に記載の断裁機用用紙押圧装置。
【発明の詳細な説明】
【技術分野】
【０００１】
本発明は、断裁する用紙を押圧固定する断裁機用用紙押圧装置に関する。
【背景技術】
【０００２】
たとえば製本物の天地および小口の三方を切り揃えたり、用紙束を所定のサイズに切断するなど用紙を断裁する断裁機として、動力で駆動する断裁刃物と動力で駆動する押圧板を備えた断裁機がある。この断裁機は、断裁する用紙を定木に合わせて位置決めして載置する断裁台を有し、この断裁台の定木に沿う上方に断裁刃物が設置され、この断裁刃物に沿う近傍位置に押圧板が設置されている。
【０００３】
この断裁機による用紙の断裁は、断裁する用紙を断裁台に位置決め載置し、上方に待機する押圧板を駆動して位置決めした用紙の断裁箇所の近傍位置を断裁台に強圧固定する。そして、上方に待機する断裁刃物を駆動して用紙の断裁箇所を断裁する。断裁後は断裁刃物および押圧板とも上方の待機位置に戻す。
【０００４】
このような断裁機における押圧板は、用紙を断裁台に強圧固定するために鉄鋳物製などの重量物で構成されており、また、用紙を強く締め付けるためにその解除に大きい力が必要である。そのために押圧板の駆動には、大型の油圧シリンダや電動機などの動力源が用いられる。
【特許文献１】特開２０００−２５４８９２号公報
【特許文献２】特公平６−５１２７９号公報
【０００５】
ところで、用紙を断裁するに際し、断裁台に載置した用紙の断裁位置の確認や調整をする場合がある。この場合、押圧板を駆動して断裁台上の用紙を押圧し、またその押圧を解除してその確認や調整が行われる。この場合の押圧板の駆動を手間なく簡単に行うために、断裁時の駆動機構とは別に足踏みによって駆動操作する操作レバーを押圧板に連結することが行われている。
【発明の開示】
【発明が解決しようとする課題】
【０００６】
しかし、押圧板は重量物であって足踏みによって操作レバーを操作するには、相当の力を要し、かつこれを安全に操作することが面倒であるといった問題があった。
【０００７】
本発明が解決しようとする課題は、押圧板の駆動に要する力を低減し、斯かる問題を解消する点である。
【課題を解決するための手段】
【０００８】
本発明に係る断裁機用用紙押圧装置は、押圧板を用紙に当接する当接部と加重を加える加重部に分割し、両部を互いに接近する方向に附勢するバネを介して連結するとともに、加重部を駆動機構に連結し、当接部を操作レバーに連結してなることを最も主要な特徴とする。
【発明の効果】
【０００９】
本発明では、押圧板を用紙に当接する当接部と加重を加える加重部に分割し、両部を互いに接近する方向に附勢するバネで連結しているので、断裁台に載置した用紙の断裁位置の確認や調整をする場合、比較的に軽量の当接部を小さいバネ力に抗して駆動することができる。したがって、その確認や調整作業を安全かつ容易に行うことができる。
【００１０】
また、押圧板を駆動する駆動機構にフライホィールを設け、フライホィールが回転した後に押圧板を駆動すると、押圧板を駆動するモータの起動負荷を低減し、小型化することができる。
【発明を実施するための最良の形態】
【００１１】
押圧板の駆動に要する力を低減する目的を、押圧板を用紙に当接する当接部と加重を加える加重部に分割し、両部を互いに接近する方向に附勢するバネで連結するとともに、モータの回転力を押圧板に伝達する駆動機構中に、フライホィールを設け、フライホィールの慣性力を利用することにより実現した。
【実施例１】
【００１２】
以下、本発明の実施例について図によって説明する。図１は実施例に係る断裁機用用紙押圧装置の構成を示す斜視図である。なお、断裁刃物および断裁刃物を駆動する駆動機構および各部を支持する機枠は図では省略している。図１２において、１は当接部１aと加重部１ｂに分割した押圧板、２は支持棒、３はバネ、４はモータ、５はベルト、６はフライホィール、７は内面にネジを形成した筒状のネジ軸（ナット）、８は送りネジ、９は連結棒、１０は操作レバー、１１はペダルである。
【００１３】
押圧板１の当接部１aは、押圧板１の加重部１ｂを摺動自在に貫通した支持棒２の一端に固定され、支持棒２の加重部１ｂを貫通した他端はバネ３を介して加重部１ｂに固定されている。バネ３は当接部１aを加重部１ｂに当接する方向に附勢し、通常、当接部１aは加重部１ｂに当接している。押圧板１の当接部１aの端部に連結棒９の一端が連結され、連結棒９の他端は操作レバー１０の中央部に連結されている。
【００１４】
操作レバー１０の一端にはペダル１１が取り付けられ、他端１０aは図示しない機台に回転自在に取り付けられている。すなわち、ペダル１１をバネ３のバネ力に抗して踏み込むことにより操作レバー１０は他端１０aを支点として回動し、連結棒９を押し下げ、押圧板１の当接部１aは図４に示すように加重部１ｂから離れ、断裁台１２に載置した用紙（図示なし）を押圧する。また、ペダル１１の踏み込みを外すと、押圧板１の当接部１aはバネ３のバネ力により図５に示すように加重部１ｂに当接する。なお、操作レバー１０の操作は断裁台に載置した用紙の断裁位置の確認や調整をする場合に行うもので、加重部１ｂは待機したまま当接部１aのみを押し下げ操作する。
【００１５】
押圧板１の加重部１ｂには、送りネジ８の一端が連結され、送りネジ８の他端部は図２の拡大断面図に示すように筒状のネジ軸７内に挿入され、送りネジ８のネジ８aとネジ軸７内のネジ7aと螺合している。すなわち、ネジ軸７が回転すると押圧板１が上または下方向に直線移動する。
【００１６】
ネジ軸７には、図３に示すように表面の一部に係合凸部７ｃを設けた円板状の係合部７ｂが備えられ、係合部７ｂから突出する端部はフライホィール６の中心部に回転自在に嵌め込まれている。フライホィール６には、図２に示すように円板状の係合部７ｂと対向する表面の一部に係合凸部７ｃと係合する係合凸部（又は係合ピン）６aが形成されており、係合凸部７ｃと係合凸部６aとはフライホィール６が所定の回転角度回転後に当接係合することによりフライホィール６の回転はネジ軸７に伝達される。すなわち係合凸部７ｃと係合凸部６aとの間に遊びが設けられている。
【００１７】
たとえば係合凸部７ｃと係合凸部６aの一端同士が当接係合している状態で、フライホィール６がその当接を解除する方向にほぼ１回転すると、係合凸部７ｃと係合凸部６aの他端同士が当接し、その回転を続けることによりフライホィール６の回転と同方向にネジ軸７が回転する。その回転の停止後フライホィール６を逆方向に回転するとほぼ１回転後に最初の係合凸部７ｃと係合凸部６aの一端同士が当接係合し、その回転を続けることによりフライホィール６の回転と同方向にネジ軸７が回転する。フライホィール６の外周面にモータ４の回転を伝達するベルト５が掛けられており、モータ４の回転によりフライホィール６は回転する。
【００１８】
用紙の断裁時にモータ４が起動するとフライホィール６は回転し、フライホィール６の係合凸部６aがネジ軸７の係合凸部７ｃに当接係合し、ネジ軸７は回転する。ネジ軸７が回転するとネジ軸７に螺合する送りネジ８は下降移動し、押圧板１は用紙を強圧し、フライホィール６の係合凸部６ａとネジ軸７の係合凸部７ｃが当接係合した状態で停止する。
【００１９】
用紙を断裁した後モータ４が逆転起動し、フライホィール６は逆方向に回転する。フライホィール６が暫時回転した後フライホィール６の係合凸部６aがネジ軸７の係合凸部７ｃに当接係合しネジ軸７は逆方向に回転する。ネジ軸７が逆方向に回転するとネジ軸７に螺合する送りネジ８は上昇移動し、押圧板１は元の待機位置に保持される。
【００２０】
用紙の強圧解除に際し、フライホィール６に慣性力をつけてネジ軸７を回転させるので、強圧締め付けの解除に大容量のモータの必要性がなくなり、一つの小型モータによって用紙の締め付けとその解除を行うことができる。
【図面の簡単な説明】
【００２１】
【図１】本発明の実施例に係る断裁機用用紙押圧装置の構成を示す斜視図である。
【図２】図１に示す断裁機用用紙押圧装置の要部の拡大断面図である。
【図３】図１に示す断裁機用用紙押圧装置の要部の構成を示す斜視図である。
【図４】図１に示す断裁機用用紙押圧装置の一使用状態を示す側面図である。
【図５】図１に示す断裁機用用紙押圧装置の一使用状態を示す側面図である。
【符号の説明】
【００２２】
１    押圧板
１ａ  当接部
１ｂ  加重部
２    支持棒
３    バネ
４    モータ
５    ベルト
６    フライホィール
６ａ  係合凸部
７    ネジ軸
７ａ  ネジ
７ｂ  係合部
７ｃ  係合凸部
８    送りネジ
８ａ  ネジ
９    連結棒
１０  操作レバー
１１  ペダル
【図１】
2005088131.tif 000003
【図２】
2005088131.tif 000004
【図３】
2005088131.tif 000005
【図４】
2005088131.tif 000006
【図５】
2005088131.tif 000007